(57)【特許請求の範囲】
【請求項１】
パネル本体と、このパネル本体の幅方向に沿って形成された幕板部とを具備し、幕板部には、所定間隔毎に縦目地が設けられる一方、パネル本体には、前記縦目地よりも幅広い目地幅で、幕板部の中央部の縦目地に連続する中央目地が設けられてパネル原板が形成され、
このパネル原板を、パネル原板の表面から裏面に向かって拡径する直角山形のカットラインで、幕板部の縦目地の目地に沿って切断し、この切断によって形成された傾斜切断面同士を断面Ｌ字状に接続するとともに、接続角部を面取り加工して断面Ｌ字状に形成されたコーナーパネルを製造する方法であって、
中央目地の目地底を完全に切除するカットラインで切断することを特徴とするコーナーパネルの製造方法。
【発明の詳細な説明】
【０００１】
【発明の属する技術分野】
本発明は、パネル原板から切り出した切断片を接続してコーナーパネルを製造する方法に関するものである。
【０００２】
【従来の技術】
図３に示すように、パネル本体２と、このパネル本体２の幅方向に沿って形成された幕板部３とを具備し、幕板部３には、所定間隔毎に縦目地３０が設けられる一方、パネル本体２には、前記縦目地３０よりも幅広い目地幅で、幕板部３の中央部の縦目地３０に連続する中央目地２０が設けられたパネル原板１が知られている。このパネル原板１は、そのまま外壁パネルとして利用されるが、このパネル原板１をさらに切削接続加工することによって、コーナーパネル１０（図２参照）を製造することが行われている。
【０００３】
従来より、このパネル原板１からコーナーパネル１０を製造する場合は、図４に示すように、パネル原板１の表面から裏面に向かって拡径する直角山形のカットライン４で、幕板部３の縦目地３０の目地に沿って切断し、傾斜切断面１１を形成していた。この場合、パネル原板１のカットライン４は、縦目地３０の目地底３１を切除してテーパ面３２を残す設定でカットしていた。そして、この傾斜切断面１１同士を断面Ｌ字状に接続し、接続角部１ａが略同じ仕上がりとなるように、パネル本体２の接続角部２ａを幕板部３の接続角部３ａに一致させる面取り加工５を行って仕上げていた。この場合、接続角部１ａの面取り幅Ａは、縦目地３０のテーパ面３２の約二倍の横幅に仕上がることとなる。
【０００４】
【発明が解決しようとする課題】
しかし、上記従来のパネル原板１は、パネル本体２の中央部に目地幅の広い中央目地２０があるので、上記従来のカット方法では、この中央目地２０と連続する縦目地３０の部分を切断してコーナーパネル１０を製造しようとすると、図５に示すように、このパネル本体２の接続角部２ａが幕板部３の接続角部３ａよりも窪んでしまう。したがって、断面Ｌ字状に接続した後、接続角部１ａは、パネル本体２の接続角部２ａに合うように幕板部３の接続角部３ａの面取り加工５を行わなければならないが、この場合、幕板部３の接続角部３ａの面取りを過剰にしなければならず、接続角部１ａの面取り幅Ａが大きくなりすぎてしまいコーナーパネル１０の製品として良好なものが得られない。そのため、この中央目地２０の部分は、コーナーパネル１０の製造に使用することができず、一枚のパネル原板１からのコーナーパネル１０の製造効率が悪かった。
【０００５】
本発明は、係る実情に鑑みてなされたものであって、パネル原板から効率良くコーナーパネルを製造する方法を提供することを目的としている。
【０００６】
【課題を解決するための手段】
上記課題を解決するための本発明のコーナーパネルの製造方法は、パネル本体と、このパネル本体の幅方向に沿って形成された幕板部とを具備し、幕板部には、所定間隔毎に縦目地が設けられる一方、パネル本体には、前記縦目地よりも幅広い目地幅で、幕板部の中央部の縦目地に連続する中央目地が設けられてパネル原板が形成され、このパネル原板を、パネル原板の表面から裏面に向かって拡径する直角山形のカットラインで、幕板部の縦目地の目地に沿って切断し、この切断によって形成された傾斜切断面同士を断面Ｌ字状に接続するとともに、接続角部を面取り加工して断面Ｌ字状に形成されたコーナーパネルを製造する方法であって、中央目地の目地底を完全に切除するカットラインで切断するものである。
【０００７】
【発明の実施の形態】
以下、本発明の実施の形態を図面を参照して説明する。
【０００８】
図１はコーナーパネル１０の製造工程を示し、図２は製造されたコーナーパネル１０を示し、図３はコーナーパネル１０の製造に使用されるパネル原板１を示している。
【０００９】
すなわち、このコーナーパネル１０の製造方法は、パネル原板１を切断し、切断面１１同士を接続して構成される。
【００１０】
パネル原板１は、パネル本体２と、このパネル本体２の幅方向に沿って形成された幕板部３とを具備している。このうち、幕板部３は、約５０ｍｍの間隔毎に十九本の縦目地３０が設けられている。また、パネル本体２には、前記縦目地３０よりも幅広い目地幅で、幕板部３の中央の縦目地３０に連続する中央目地２０が設けられている。さらに、パネル本体２には、約６０ｍｍの間隔毎に横目地２３が設けられている。
【００１１】
縦目地３０は、深さＤ１が４．２ｍｍ、目地幅Ｌ１が１２．４ｍｍ、目地底幅Ｗ１が４ｍｍ、テーパ角θ１が４５°となるように形成されている。中央目地２０は、深さＤ２が４．２ｍｍ、目地幅Ｌ２が１６．４ｍｍ、目地底幅Ｗ２が８ｍｍ、テーパ角θ２が４５°となるように形成されている。
【００１２】
このパネル原板１からコーナーパネル１０を製造する場合、まず、図１（ａ）に示すように、パネル原板１の表面から裏面に向かって拡径する直角山形のカットライン４で中央目地２０の目地底２１を完全に切除してテーパ面２２を残すように切断する。そして、この切断によって形成された傾斜切断面１１同士を断面Ｌ字状に接続する。この接続状態で、接続角部１ａは、パネル本体２の接続角部２ａよりも幕板部３の接続角部３ａの方が突出しているので、パネル本体２の接続角部２ａに合うように幕板部３の接続角部３ａの面取り加工５を行う。このようにして面取り加工５を行って得られたコーナーパネル１０は、接続角部１ａの面取り幅Ａが中央目地２０のテーパ面２２の約二倍の横幅に仕上がることとなる。この中央目地２０のテーパ面２２は、縦目地３０のテーパ面３２と同じであるため、このようにして得られるコーナーパネル１０は、図５に示すように、接続角部１ａの面取り幅Ａが大きくならない。
【００１３】
したがって、図３に示すパネル原板１を考えた場合、図２に示すような形状のコーナーパネル１０は、一枚のパネル原板１から五本製造することが可能となる。なお、このように、一枚のパネル原板１から五本のコーナーパネル１０を製造する場合、少なくとも中央目地２０の部分をカットする場合に、図１に示すような中央目地２０の目地底２１を切除するカットライン４で切断してコーナーパネル１０を製造すれば良い。したがって、この中央目地２０以外の縦目地３０の部分を切断してコーナーパネル１０を製造する場合は、図１に示すように中央目地２０の目地底２１を切除するカットライン４としても良いし、図４に示すように、縦目地３０の目地底３１を切除するカットライン４としても良い。ただし、中央目地２０の目地底２１を切除するカットライン４に統一した方が、作業性を考えた場合に効率が良い。
【００１４】
なお、本実施の形態では、パネル本体２の上端部に幕板部３が設けられたパネル原板１を用いているが、この幕板部３は、パネル本体２の下端部に設けられていても良いし、上端部および下端部に設けられていても良いし、中間部分に設けられていても良い。
【００１５】
【発明の効果】
以上述べたように、本発明によると、中央目地の目地底を完全に切除するカットラインで切断するので、傾斜切断面同士を断面Ｌ字状に接続した状態で、中央目地の接続角部が窪んでしまうといったこを防止することができる。したがって、この中央目地部分を利用してコーナーパネルを製造することが可能となり、パネル原板の中央目地部分を捨てることなく利用することができるので、一枚のパネル原板からのコーナーパネルの製造効率が向上することとなる。
【図面の簡単な説明】
【図１】（ａ）ないし（ｃ）は、コーナーパネルの製造工程を示す工程図である。
【図２】コーナーパネルの全体構成の概略を示す斜視図である。
【図３】（ａ）はパネル原板を示す平面図、（ｂ）および（ｃ）は同パネル原板の縦目地および中央目地を示す部分断面図である。
【図４】（ａ）ないし（ｃ）は、コーナーパネルを製造する従来の方法を示す工程図である。
【図５】（ａ）ないし（ｃ）は、パネル原板の中央目地を切断してコーナーパネルを製造する従来の方法を示す工程図である。
【符号の説明】
１  パネル原板
１ａ  接続角部
１０  コーナーパネル
１１  傾斜切断面
２  パネル本体
２ａ  接続角部
２０  中央目地
２１  目地底
３  幕板部
３ａ  接続角部
３０  縦目地
３１  目地底
４  カットライン
５  面取り加工
【図１】
0003592049.tif 000002
【図２】
0003592049.tif 000003
【図３】
0003592049.tif 000004
【図４】
0003592049.tif 000005
【図５】
0003592049.tif 000006